(57)【要約】【課題】器具本体側の照射開口部とグローブとの間に隙間が生じるのを抑制することが可能な照明器具を提供する。【解決手段】照明器具は、照射開口部１４を有する器具本体１と、器具本体１に配設された光源部２とを備えている。光源部２を覆うように横断面が光の照射方向へ凸に形成されるとともに対向する開放端部４１ｂ有する透光性のグローブ本体４１と、グローブ本体４１の外面に沿って配設された不燃性部材４２とを備え、開放端部４１ｂが互いに内側方向に近づくように弾性変形可能であって、当該変形操作により前記照射開口部１４に開放端部４１ｂ側から挿入可能なグローブを具備している。【選択図】図６
2013229157.tif 000002
【特許請求の範囲】
【請求項１】
照射開口部を有する器具本体と；
器具本体に配設された光源部と；
光源部を覆うように横断面が光の照射方向へ凸に形成されるとともに対向する開放端部有する透光性のグローブ本体と、グローブ本体の外面に沿って配設された不燃性部材とを備え、開放端部が互いに内側方向に近づくように弾性変形可能であって、当該変形操作により前記照射開口部に開放端部側から挿入可能なグローブと；
を具備することを特徴とする照明器具。
【請求項２】
グローブの両端部には、グローブの両端部を閉塞するグローブ端板が配設されていて、グローブは、グローブ端板が器具本体側に固定されることによって保持固定されることを特徴とする請求項１に記載の照明器具。
【発明の詳細な説明】
【技術分野】
【０００１】
本発明の実施形態は、照明器具本体に配設された光源部を覆う透光性を有するグローブを備えた照明器具に関する。
【背景技術】
【０００２】
従来、例えば、バスや鉄道車両等の車両における車内灯に用いられる照明器具は、車両の天井面（被設置部）に設置される器具本体を備えており、この器具本体の前面側に直管形蛍光ランプ等の光源部が配設されているとともに、この光源部を覆う透光性を有するグローブが設けられている。
【０００３】
また、上記のような照明器具において、グローブを不燃性とするため、グローブ本体の外面に沿って不燃性のガラスクロス材を配置し、このグローブにより光源部を覆うようにしたものが提案されている。この照明器具では、グローブを器具本体側に取付ける際には、グローブの長手方向に沿う両端部を器具本体側の照射開口部に差し込んで収容し、グローブ端板によって器具本体側に固定する。
【先行技術文献】
【特許文献】
【０００４】
【特許文献１】特開２００８−２９６７７４号公報
【特許文献２】特開２０１２−６９２６４号公報
【発明の概要】
【発明が解決しようとする課題】
【０００５】
しかしながら、上記照明器具においては、器具本体側の照射開口部とグローブとの間に隙間が生じる可能性がある。
【０００６】
本発明は、上記課題に鑑みなされたもので、器具本体側の照射開口部とグローブとの間に隙間が生じるのを抑制することが可能な照明器具を提供することを目的とする。
【課題を解決するための手段】
【０００７】
本発明の実施形態による照明器具は、照明器具は、照射開口部を有する器具本体と、器具本体に配設された光源部とを備えている。
【０００８】
また、光源部を覆うように横断面が光の照射方向へ凸に形成されるとともに対向する開放端部有する透光性のグローブ本体と、グローブ本体の外面に沿って配設された不燃性部材とを備え、開放端部が互いに内側方向に近づくように弾性変形可能であって、当該変形操作により前記照射開口部に開放端部側から挿入可能なグローブを具備している。
【発明の効果】
【０００９】
本発明の実施形態によれば、器具本体側の照射開口部とグローブとの間に隙間が生じるのを抑制することが可能な照明器具を提供することができる。
【図面の簡単な説明】
【００１０】
【図１】本発明の実施形態に係る照明器具が被設置部に取付けられた状態を示す斜視図である。
【図２】同照明器具を前面側から見て示す平面図である。
【図３】同照明器具を分解して示す斜視図である。
【図４】図１中、Ｙ−Ｙ線に沿って示す断面図である。
【図５】同照明器具におけるグローブを示す横断面図である。
【図６】同照明器具において、グローブの取付状態を示す断面図である。
【発明を実施するための形態】
【００１１】
以下、本発明の実施形態について図１乃至図６を参照して説明する。本実施形態では、バスや電車等の車両における車内灯として用いられる照明器具を示している。なお、各図において同一部分には同一符号を付し、重複した説明は省略する。
【００１２】
照明器具は、車両の天井面等の被設置部Ｃに取付けられる長尺状の器具本体１と、この器具本体１に配設された光源部２と、器具本体１の両端面側に取付けられる端部カバー３と、光源部２を覆うグローブ４と、光源部２を点灯制御する点灯装置５とを備えている。
このような照明器具は、前面側を光の照射面とし、背面側を被設置部Ｃへの取付面としている。
【００１３】
器具本体１は、図１乃至図４に示すように、例えば、溶融亜鉛めっき鋼鈑等の金属材料によって略Ｌ字状に折曲して長尺状に形成された一対の側枠１１を備えている。側枠１１は、側面壁１２と、この側面壁１２から略直角に折曲して形成された前面壁１３とを有している。
【００１４】
また、図４に代表して示すように、一対の側枠１１は、前面壁１３の長手方向に沿う端部が互いに対向するように配置され、これら端部間に照射開口部１４が形成されるようになっている。したがって、照射開口部１４は、長手方向に沿って長尺状に形成されるようになる。
なお、器具本体１が箱状の一体的に形成され、この前面壁１３にスリット状の照射開口部１４が形成される場合であってもよい。
光源部２は、図４に代表して示すように、基板２１と、この基板２１に実装された複数の発光素子２２と、各発光素子２２を覆う蛍光体層２３とを備えている。
【００１５】
基板２１は、絶縁材である例えば、ガラスエポキシ樹脂（ＦＲ−４）等の材料で細長の長方形状に形成されている。表面側には銅箔で形成された配線パターンが施されている。また、適宜レジスト層が施されるようになっている。
【００１６】
なお、基板２１の材料には、セラミックス材料、合成樹脂材料又は各発光素子２２の放熱性を高めるうえで、アルミニウム等の熱伝導性が良好で放熱性に優れたべース板の一面に絶縁層が積層された金属製のべース基板を適用することができ、格別その材料が限定されるものではない。
【００１７】
複数の発光素子２２は、ＬＥＤのベアチップからなる。ＬＥＤのベアチップには、例えば、白色系の光を発光部で発光させるために、青色の光を発するものが用いられている。このＬＥＤのベアチップは、シリコーン樹脂系の絶縁性接着剤を用いて基板２１上に接着され、ボンディングワイヤによって配線パターン上に電気的に接続されている。
【００１８】
蛍光体層２３は、透光性合成樹脂、例えば、透明シリコーン樹脂製であり、ＹＡＧ：Ｃｅ等の蛍光体を適量含有している。蛍光体層２３は、個々の発光素子２２を発光素子２２ごとに被覆する山形の形状をなしている。蛍光体は、発光素子２２が発する光で励起されて、発光素子２２が発する光の色とは異なる色の光を放射する。発光素子２２が青色光を発する本実施形態では、白色光を出射できるようにするために、蛍光体には青色の光とは補色の関係にある黄色系の光を放射する黄色蛍光体が使用されている。
【００１９】
なお、発光素子２２としては、表面実装型のＬＥＤパッケージを用いてもよい。また、砲弾型のＬＥＤを実装するようにしてもよく、実装方式や形式は、格別限定されるものではない。
【００２０】
このような光源部２は、光源部取付部材２５に取付けられるようになっている。光源部取付部材２５は、アルミニウム等の熱伝導が良好な金属材料から長尺状に形成されていて、断面形状が樋状をなしている。取付部材２５は、平坦な取付面２５ａと、この取付面２５ａの長手方向に沿う両端部から背面方向に折曲して形成された取付片２５ｂとから構成されている。
また、図３に示すように、取付面２５ａの両端部側には、器具本体１を設置する際に供される取付ねじＳの通過孔２５ｃが形成されている。
【００２１】
このような光源部取付部材２５は、器具本体１に取付けられている。具体的には、光源部取付部材２５の取付片２５ａが器具本体１における側面壁１２の内側に取付けられるようになる。
【００２２】
光源部２における基板２１は、前記光源部取付部材２５の取付面２５ａに複数枚、例えば、２枚の基板２１が長手方向に直線状に並べられて配設されている。したがって、基板２１の裏面側は、光源部取付部材２５の取付面２５ａに面接触して熱的に結合されるようになっている。
【００２３】
さらに、光源部取付部材２５の取付面２５ａには、光源部２の両側に位置して光源部２の周囲を囲むように略直線状の一対のパッキング６が配設されている。パッキング６は、断面が略四角形状に形成されていて、弾力性を有する部材であり、例えば、シリコーンゴム等の材料によって形成されている。このパッキング６は、取付面２５ａ上に接着等によって固定されている。
【００２４】
図１乃至図３に示すように、器具本体１の長手方向の両端面側には端部カバー３が取付けられている。端部カバー３は、器具本体１の両端面側をカバーするものであり、金属板から形成されており、器具本体１の長手方向の端部から器具本体１の内側へスライドさせるようにして配置し取付けられるようになっている。
【００２５】
また、端部カバー３には、器具本体１を設置する際に供される取付ねじＳの通過孔３１が形成されている。なお、この通過孔３１は、前記光源部取付部材２５の通過孔２５ｃと対向するように配置されている。
グローブ４は、図３乃至図５に代表して示すように、グローブ本体４１と、このグローブ本体４１の外面に沿って配設された不燃性部材４２とを備えている。
【００２６】
グローブ本体４１は、透光性を有し、横断面の形状が光の照射方向、つまり、前面側へ凸となるように略Ｕ字形状をなして長尺状に形成されている。したがって、グローブ本体４１は、前面側へ突出する略Ｕ字形状の曲線をなす主体部４１ａと、この主体部４１ａにおける長手方向に沿う端部に、対向する開放端部４１ｂを有している。
【００２７】
また、グローブ本体４１は、透明のポリカーボネート樹脂又はアクリル樹脂等の合成樹脂材料によって形成されていて、少なくとも開放端部４１ｂが内側方向へ弾性変形可能となっている。
【００２８】
不燃性部材４２は、シート状のガラスクロスであり、グローブ本体４１の外面を覆うようになっている。ガラスクロスは、不燃性の材料からなるガラス繊維によって形成されており、柔軟性を有しているとともに透光性を有している。
【００２９】
このガラスクロスは、グローブ本体４１の曲面状の主体部４１ａの外面に沿って配設され、グローブ本体４１の開放端部４１ｂにおいて固定されている。具体的には、固定手段としてのリベットＲの軸部をガラスクロス及び開放端部４１ｂに形成された各貫通孔を貫通させて、その後先端側を潰して両者を固定するようになっている。このリベットＲによる固定は、グローブ本体４１の開放端部４１ｂにおいて、長手方向に沿って複数個所で行われている。
【００３０】
このように構成されたグローブ４は、図５に示すように、開放端部４１ｂが互いに内側方向へ近づいて開放端部４１ｂ間の距離が小さくなるように弾性変形可能となっている。
【００３１】
さらに、グローブ４の長手方向の両端部には、この両端部を閉塞する端部部材として金属製のグローブ端板４３が配設されている。このグローブ端板４３は、器具本体１側である光源部取付部材２５の取付面２５ａの前面側にねじ止めされ、グローブ４を保持し固定するようになっている。
【００３２】
点灯装置５は、光源部取付部材２５に支持台５１を介して取付けられている。点灯装置５は、箱状のケース内に回路部品を収容して構成されており、商用交流電源ＡＣに接続されて、この交流電源ＡＣを受けて直流出力を生成するものである。点灯装置５は、例えば、全波整流回路の出力端子間に平滑コンデンサを接続し、この平滑コンデンサに直流電圧変換回路及び電流検出手段を接続して構成されている。
【００３３】
したがって、点灯装置５は、光源部２に接続されており、その直流出力を発光素子２２に供給し、発光素子２２を点灯制御するようになっている。なお、点灯装置５は、外部の直流電源ＤＣに接続されて、直流電源ＤＣを受けて、ＬＥＤに直流出力を供給する形態であってもよい。
【００３４】
支持台５１は、アルミニウム等の熱伝導が良好な金属材料から形成されていて、平坦な支持面５１ａと、この支持面５１ａの長手方向に沿う両端部から断面略Ｌ字状に折曲して形成された取付片５１ｂとから構成されている。
【００３５】
したがって、点灯装置５は、支持台５１の支持面５１ａにねじ止めして取付けられ、支持台５１は、光源部取付部材２５にねじ止めされて取付けられるようになっている。
【００３６】
図３に示すように、光源部取付部材２５の背面側の両端部には、一対の設置金具７が設けられている。設置金具７は、金属板を略コ字状に折曲して形成されており、設置面７１と、この設置面７１から折曲されて外側方向に延出する固定片７２とを備えている。設置面７１には、被設置部Ｃへ取付けるための取付ねじ貫通孔７１ａが形成されており、固定片７２には、ねじ貫通孔が形成されている。
したがって、設置金具７は、固定片７２が光源部取付部材２５の背面側にねじ止めされて固着される。
【００３７】
次に、主として図３乃至図６を参照して照明器具の組立構成の概要についてグローブ４の取付構成を中心として説明する。なお、組立の順序、方法は、以下に限定されるものではない。適宜変更が可能である。
【００３８】
図３及び図４に示すように、光源部取付部材２５の取付面２５ａの前面側に光源部２が取付けられる。同様に、取付面２５ａに一対のパッキング６が取付けられる。また、光源部取付部材２５の背面側の中央部には、点灯装置５が支持台５１を介して取付けられ、背面側の両端部には、一対の設置金具７が取付けられる。
【００３９】
このように各部材が取付けられた光源部取付部材２５が器具本体１に取付けられる。具体的には、光源部取付部材２５の取付片２５ｂが器具本体１における側面壁１２に取付けられる。
【００４０】
次に、グローブ４を器具本体１側に取付ける。詳しくは、図６に示すように、グローブ４を器具本体１の照射開口部１４に挿入して取付ける。この場合、例えば、器具本体１を点灯装置５側を下にして床面等に載置して取付作業を行う。なお、原型的には、グローブ４の開放端部４１ｂの幅寸法Ｗ１は、照射開口部１４の幅寸法Ｗ２より大きく、Ｗ１＞Ｗ２の寸法関係となっている。
【００４１】
既述のように、グローブ４は、開放端部４１ｂが互いに内側方向へ弾性変形可能となっているので、グローブ４を両手でその互いの対向する開放端部４１ｂを内側へ押圧するように操作して弾性変形させる。これにより、グローブ４の開放端部４１ｂの幅寸法Ｗ１を照射開口部１４の幅寸法Ｗ２と同等又は小さくすることできる。
【００４２】
このため、グローブ４をその開放端部４１ｂ側から照射開口部１４に挿入することが可能となる。したがって、グローブ４を照射開口部１４に挿入し、その後、押圧を解くと、開放端部４１ｂの弾性変形が復元する。
【００４３】
この場合、照射開口部１４の内側において、グローブ４の開放端部４１ｂの幅寸法Ｗ１は元の寸法に戻るように復元し、照射開口部１４の幅寸法Ｗ２より大きくなるので、グローブ４は、その外面が照射開口部１４の端部１４ａに復元により当接して保持されるようになる。
【００４４】
なお、グローブ４の外面が照射開口部１４の端部１４ａに当接するに到らない形態であってもよい。グローブ４の開放端部４１ｂの幅寸法Ｗ１が照射開口部１４の幅寸法Ｗ２より大きければ、グローブ４は、照射開口部１４から脱落したり、外れたりすることが回避できるからである。
【００４５】
このように、グローブ４が照射開口部１４に保持された状態は、本実施形態においては、グローブ４が器具本体１側に仮に保持された状態である。したがって、この仮に保持された状態からグローブ４を器具本体１側に固定状態とするために、グローブ端板４３を光源部取付部材２５の取付面２５ａにねじ止めし、グローブ４を保持し確実に固定する。
【００４６】
この固定状態においては、図４に示すように、グローブ４における開放端部４１ｂの先端部がパッキング６を押圧するようになり、グローブ４内の密閉性が確保され、光源部２は、グローブ４に覆われるようになる。
器具本体１側にグローブ４を取付けた後、器具本体１の両端面側に端部カバー３を取付ける。
【００４７】
以上のような組立構成においては、グローブ４を器具本体１側に仮に保持できるので組立作業性の向上を図ることができる。また、グローブ４が照射開口部１４に挿入され取付けられた状態においては、グローブ４には、グローブ４の外面と照射開口部１４との間の隙間を減少する方向（開放端部４１ｂの幅が広がる方向）の弾性力が作用しているので、当該隙間が生じるのを抑制することが可能となる。
【００４８】
さらに、不燃性部材４２は、グローブ本体４１の開放端部４１ｂにおいて固定手段によって固定されているので、グローブ本体４１の外面に沿って不燃性部材４２を密着するように配設することができる。よって、不燃性部材４２にしわが生じたり、弛みが生じたりするのを抑制することが可能となる。
【００４９】
なお、本実施形態においては、グローブ４をグローブ端板４３によって器具本体１側に固定する場合について説明したが、これに限定されず、グローブ４の弾性復元力によって必要な保持固定状態が実現できる場合には、グローブ端板４３による固定は必ずしも必要ではない。
【００５０】
照明器具を被設置部Ｃに設置する場合には、設置金具７の設置面７１を被設置部Ｃに当接するように配置し、取付ねじＳを端部カバー３の通過孔３１、光源部取付部材２５の通過孔２５ｃを通過させて、設置金具７の取付ねじ貫通孔７１ａを介して被設置部Ｃにねじ込む。これにより、照明器具は、被設置部Ｃに取付けられる。
【００５１】
照明器具の設置状態において、点灯装置５に電力が供給されると、光源部２における発光素子２２に通電され発光素子２２は発光する。発光素子２２から出射された光は、グローブ４を透過して拡散され、所定の配光範囲に照射される。
また、発光素子２２の発光に伴い熱が発生する。この熱は、基板２１の裏面側から主として光源部取付部材２５、器具本体１へ伝導され放熱される。
【００５２】
以上のように本実施形態によれば、器具本体１側の照射開口部１４とグローブ４との間に隙間が生じるのを抑制することが可能な照明器具を提供することができる。
【００５３】
本発明は、上記実施形態の構成に限定されることなく、発明の要旨を逸脱しない範囲で種々の変形が可能である。また、上記実施形態は、一例として提示したものであり、発明の範囲を限定することは意図していない。
【符号の説明】
【００５４】
１・・・器具本体、２・・・光源部、
３・・・端部カバー、４・・・グローブ、
５・・・点灯装置、６・・・パッキング、
７・・・設置金具、１４・・・照射開口部、
２１・・・基板、２２・・・発光素子（ＬＥＤ）、
２５・・・光源部取付部材、４１・・・グローブ本体、
４１ａ・・・主体部、４１ｂ・・・開放端部、
４２・・・不燃性部材（ガラスクロス）、４３・・・グローブ端板、
５１・・・点灯装置の支持台、Ｒ・・・リベット、
Ｃ・・・被設置部
【図１】
2013229157.tif 000003
【図２】
2013229157.tif 000004
【図３】
2013229157.tif 000005
【図４】
2013229157.tif 000006
【図５】
2013229157.tif 000007
【図６】
2013229157.tif 000008